(57)【要約】【課題】優先度の高い画像が適切に選択できない。【解決手段】  Ｓ１０３で人物の顔が認識され、Ｓ１０４で画面の中央に人物が写っているかが判定され、人物が画面中央にいればＳ１０５でアイテムデータベースにアクセスし、Ｓ１０６で人物の持ち物（アイテム)を対象物として検索する。人物が画面中央にいなければ、Ｓ１１６に分岐して撮影するか否かが問われてイベント情報付のない画像が記録される。アイテムがアイテムデータベースにあれば、イベントデータベースにアクセスしてイベントが判定されてＳ１１２で画面に表示され、Ｓ１１５で優先度の高い画像としてイベント情報を付けて記録される。人物が画面中央にいない画像も、必要に応じてＳ１１７で撮影されてイベント情報のない画像となる。再生モードでは、イベント情報付の画像がグループ化された画像の表紙に、その他の画像はその下に重ねて表示される。【選択図】図６
2015095848.tif 000002
【特許請求の範囲】
【請求項１】
撮像部と、
撮像部からの画像および再生画像の表示される表示部と、
撮像部から得られた画像から、人物の顔部の画像を検出する顔検出部と、
顔検出部で検出された人物の顔との関係を基準とした画面内の位置からその人物の持つアイテムを判定し、アイテムから人物の参加したイベントを判定してイベントにおける画像の優先度を決定する撮影制御部と、
を備えた撮像装置。
【請求項２】
撮影制御部は、優先度の高い画像にイベント情報を付けて、イベント情報付の画像とイベント情報のない画像とをグループ化する請求項１記載の撮像装置。
【請求項３】
撮影制御部は、イベント情報付の画像を表紙に、イベント情報のない画像をその下に重ねて、イベントごとに画像をアルバム表示する請求項２記載の撮像装置。
【請求項４】
人物の顔基準の画面内の位置とアイテムとのデータベースと、
アイテムとイベントとのデータベースとを更に備え、
撮影制御部は、人物の顔基準の画面内の位置とアイテムとのデータベースにアクセスしてアイテムを判定し、アイテムとイベントとのデータベースにアクセスしてアイテムからイベントを判定する請求項１〜３のいずれか記載の撮像装置。
【請求項５】
アイテムとイベントとのデータベースは、季節に関係する季節のイベントのデータベースと、入力された日付から特定される特殊なイベントのデータベースとを有する請求項４記載の撮像装置。
【請求項６】
アイテムとイベントとのデータベースは、季節のイベント、特殊なイベントごとにアイテムのプロパティをまとめて編集された請求項５記載の撮像装置。
【請求項７】
ファイル名、イベントのデータベースを更に備え、
撮影制御部は、ファイル名、イベントのデータベースにアクセスして、そのイベント名が記録画像のＥｘｉｆ（Exchangeable Image File Format）情報にあれば、イベント名のファイル名が記録される請求項６記載の撮像装置。
【請求項８】
得られた画像から人物の顔部の画像を検出し、
検出した人物の顔との関係を基準とした画面内の位置からその人物の持つアイテムを判定し、
判定したアイテムから人物の参加したイベントを判定してイベントにおける画像の優先度を決定する
撮像装置における撮像制御方法。
【請求項９】
優先度の高い画像にイベント情報を付けて、イベント情報付の画像とイベント情報のない画像とをグループ化し、
イベント情報付の画像を表紙に、イベント情報のない画像をその下に重ねて、イベントごとに画像をアルバム表示する請求項８記載の撮像制御方法。
【請求項１０】
人物の顔基準の画面内の位置とアイテムとのデータベースにアクセスしてアイテムを判定し、
アイテムとイベントとのデータベースにアクセスしてアイテムからイベントを判定する請求項８または９記載の撮像制御方法。
【請求項１１】
アイテムからイベントを判定するデータベースとして、季節に関係する季節のイベントのデータベースと、入力された日付から特定される特殊なイベントのデータベースとを用いた請求項１０記載の撮像制御方法。
【発明の詳細な説明】
【技術分野】
【０００１】
本発明は、デジタルカメラ、デジタルビデオカメラ、デジタルカメラ付携帯電話、デジタルカメラ付携帯端末（デジタルカメラ付モバイルツール）、撮影機能を持つ端末機器などの撮像装置および撮影制御方法に関する。
【背景技術】
【０００２】
デジタルカメラ、デジタルビデオカメラ、デジタルカメラ付携帯電話、デジタルカメラ付携帯端末（デジタルカメラ付モバイルツール）などの撮像装置において、被写体からの像は撮影レンズを介して撮像素子に結像され、光電変換されてデジタル化されて、ＣＰＵなどの中央処理回路に入力されている。そして、中央処理回路で色や階調の補正や圧縮処理などの必要な画像処理が施されてフラッシュメモリなどの記録手段に記録されている。
【０００３】
画像はグループ化され、グループ毎にフォルダに記録されるが、グループを代表する画像（代表画像）を選択するなどして画像を選別する撮影制御方法が知られている。
たとえば、特開２００６−２５９９３２号公報では、記録手段に記録された画像に含まれるオブジェクトを検出し、同一、類似のオブジェクトが含まれる画像の数をオブジェクト毎に算出し、算出した数の多いオブジェクトを代表画像としてレイアウトしてアルバムを作成している。
また、特開２００９−１９３５６９号公報では、グループ毎にフォルダ分けされた画像データに対して被写体認識処理を施し、代表画像を選択するための選択基準を認識結果に基づいて設定し、各グループの画像データの中から選択基準に基づいて優先度の高い画像（代表画像）を選択している。
【先行技術文献】
【特許文献】
【０００４】
【特許文献１】特開２００６−２５９９３２号公報
【特許文献２】特開２００９−１９３５６９号公報
【発明の概要】
【発明が解決しようとする課題】
【０００５】
特開２００６−２５９９３２号公報では、ブレのあるもの、明るさが適正でないもの、ピントが合っていないもの、人物が隅に写っているものなど適切な画像といえないものも適切な画像と同様にカウントされており、算出した数の多い画像がそのグループの優先度の高い画像であると言えないおそれがある。
【０００６】
特開２００９−１９３５６９号公報では、人物が写っている画像の有無を判定し、人物が写っていれば第１の選択基準を、写っていなければ第２の選択基準を設定している。そして、第１の選択基準では、人物の顔が家族または知人の顔か、正面を向いているか、笑顔か、その面積が最大かを判定して選択基準とし、第２の選択基準では、その画像(人物が写っていない画像)がブレていないか、ピントが合っているか、明るさが適切か、構図が適切かを判定して選択基準としている。この選択基準が多岐に分かれているため、選択基準を１つでも満たしていないと除かれて、優先度の高い画像を適切に選択できないおそれがある。
【０００７】
公知技術では、人物、特に人物の顔に注目し、顔を選択の基準とし、顔以外のものにさほど注目していない。これに対して、本発明では公知技術とは別の観点から画像の優先度を付けて代表画像を選択している。すなわち、人物そのものだけでなく人物の持ち物(アイテム)にも注目し、アイテムから被写体（人物）が撮影されたイベント、すなわち、人物の参加したイベントを特定してイベントに最もふさわしい画像を優先度の高い画像として選択することとしている。
すなわち、本発明は、被写体の持ち物(アイテム)から優先度の高い画像を選択する撮像装置の提供を目的としている。
また、本発明は、被写体の持ち物(アイテム)から優先度の高いを選択する撮影制御方法の提供を別の目的としている。
【課題を解決するための手段】
【０００８】
すなわち、請求項１記載の本発明によれば、撮像装置は、撮像部と、撮像部からの画像および再生画像の表示される表示部と、撮像部から得られた画像から、人物の顔部の画像を検出する顔検出部と、顔検出部で検出された人物の顔との関係を基準とした画面内の位置からその人物の持つアイテムを判定し、アイテムから人物の参加したイベントを判定してイベントにおける画像の優先度を決定する撮影制御部とを備えている。
請求項８記載の本発明によれば、撮像装置における撮像制御方法は、得られた画像から人物の顔部の画像を検出し、検出した人物の顔との関係を基準とした画面内の位置からその人物の持つアイテムを判定し、判定したアイテムから人物の参加したイベントを判定してイベントにおける画像の優先度を決定している。
【発明の効果】
【０００９】
請求項１、８記載の本発明では、顔部の画像から検出した人物の顔との関係を基準とした画面内の位置からその人物の持つアイテムを判定し、アイテムから人物の参加したイベントを判定してイベントにおける画像の優先度を決定することによってアイテムから優先度の高い画像を適切に選択できる。
【図面の簡単な説明】
【００１０】
【図１】デジタルカメラとして具体化された本発明の一実施例に係る撮像装置の主要部の概略ブロック図を示す。
【図２】本発明の概念を示し、（Ａ）は卒業式の日の画像、（Ｂ）は代表画像を表紙にまとめた画像をそれぞれ示す。
【図３】画像における人物の顔部と人物の持つアイテムとの関係の基本概念図を示す。
【図４】人物の顔部に対する対象物（アイテム）の位置とそれから判定される対象物とのデータベース(アイテムのデータベース)を示す。
【図５】判定された対象物（アイテム）とイベントとのデータベース(イベントのデータベース)を示す。を示す。
【図６】本発明の一実施例に係る撮影制御のフローチャートを示す。
【図７】デジタルカメラとして具体化された本発明の別実施例に係る撮像装置の主要部の概略ブロック図を示す。
【図８】対象とするアイテムとそのアイテムに対応するイベントとのデータベースを示す。
【図９】アイテムとして千歳あめを持つ画像を示す。
【図１０】アイテムとして黒筒を持つ画像を示す。
【図１１】本発明の別実施例に係る撮影制御のフローチャートを示す。
【図１２】図１１のＳ１１１２のイベント特定のためのルーチンを示す。
【図１３】図１２のＳ１２０４、Ｓ１２０７におけるアイテム検索ルーチンを示す。
【図１４】本発明の別実施例の再生モードでの撮影制御のフローチャートを示す。
【図１５】季節イベントのデータベースを示す。
【図１６】特殊イベントのデータベースを示す。
【図１７】アイテムプロパティ仕様を示し、（Ａ）はアイテムプロパティ、（Ｂ）はアイテムプロパティ例をそれぞれ示す。
【図１８】アイテムのデータベースを示す。
【図１９】ファイル登録のルーチンを示す。
【図２０】ファイル名、イベントのデータベースを示す。
【発明を実施するための形態】
【００１１】
撮像装置は、撮像部と、撮像部からの画像および再生画像の表示される表示部と、撮像部から得られた画像から、人物の顔部の画像を検出する顔検出部と、顔検出部で検出された人物の顔との関係を基準とした画面内の位置からその人物の持つアイテムを判定し、アイテムから人物の参加したイベントを判定してイベントにおける画像の優先度を決定する撮影制御部とを備えている。そして、撮影制御部は、優先度の高い画像にイベント情報を付けて、イベント情報付の画像とイベント情報のない画像とをグループ化し、イベント情報付の画像を表紙に、イベント情報のない画像をその下に重ねて、イベントごとに画像をアルバム表示している。
【実施例】
【００１２】
以下、図面を参照しながら本発明の実施例を詳細に説明する。図１は、デジタルカメラとして具体化された本発明の一実施例に係る撮像装置の主要部の概略ブロック図を示す。図２は本発明の概念を示し、（Ａ）は卒業式の日の画像、（Ｂ）は代表画像を表紙にまとめた画像をそれぞれ示す。
図１に示すように、デジタルカメラ（撮像装置）１００は、撮影制御部（中央処理回路）１０１、撮像部１０２、顔検出部１０３、対象物の画像内位置のデータベース（アイテムデータベース）１０４、対象物のイベントデータベース１０５、画像記録部１０６、表示部１０７などを備えて構成され、撮影制御部は情報付与部１０１ａを持ち、画像記録部には情報付画像１０６ａが記録される。撮影制御部１０１は、データベース１０４、１０５に適宜アクセスして、撮像部１０２、顔検出部１０３、画像記録部１０６、表示部１０７などでの処理を制御する。
【００１３】
被写体からの像は撮像部１０２の撮影レンズを介して撮像素子に結像され、光電変換されデジタル化されて、ＣＰＵなどの撮影制御部１０１に入力され、中央処理回路で色や階調の補正や圧縮処理などの必要な画像処理が施されてフラッシュメモリなどの画像記録部１０６に情報とともに、グループ化されてフォルダに記録される。たとえば、卒業式の日に撮影された一連の画像であれば、卒業式というイベントのフォルダに情報付画像として記録される（図２（Ａ））。また、撮像部１０２からの画像は、スルー画像(ライブビュー画像）として液晶ディスプレイなどの表示部１０７に表示される。表示部１０７には再生画像も表示される。
【００１４】
アイテムデータベース１０４には、人物の頭に対する対象物（アイテム）の位置とそれから判定される対象としてのアイテムのデータがまとめられており、イベントデータベース１０５には、判定されたアイテムとそれに対応するイベントとのデータがまとめられている。
【００１５】
画像に人物が写っているか、写っていれば、その顔の大きさ、画面における顔の位置（人物の位置）などが顔検出部１０３で検索され、その情報（人物に関する情報）が中央処理装置の情報付与部１０１ａに送られる。そして、人物が物を持っているか、持っていればアイテムデータベース１０４にアクセスしてその持ち物（アイテム）を判定し、さらに、イベントデータベース１０５にアクセスしてアイテムからイベントを判定してそのイベントにおける優先度が決定され、優先度からイベントの代表画像が選択され、記録される。イベント毎にフォルダに記録された画像は、再生時には、代表画像を表紙として表示（アルバム表示）される（図２（Ｂ））。
【００１６】
撮影制御部１０１は、撮像部１０２、顔検出部１０３、画像記録部１０６、表示部１０７などでの処理を制御し、データベース１０４、１０５にアクセスしてアイテム、イベントを判定し、優先度を決定してイベントの代表画像を選択するなどの撮像制御を行う。
【００１７】
なお、本発明における人物の持ち物としてのアイテム（対象とするアイテム）は、人物が実際に手に持つものに限定されず、帽子（角帽、運動会の白や赤の帽子や鉢巻）、ウェディングドレス、赤いちゃんちゃんこ、法被、獅子舞などの人物が身につけるものも含まれる。さらに、クリスマスツリー、ウェディングケーキなどのように人物が現実に持つ（持ち上げる）ものでなくても、そのものに手をかけて撮影するなど、イベントと密接に関係するもので人物とともに撮影されることが一般的なものも、人物の持ち物としてのアイテム（対象とするアイテム）に含まれる。
【００１８】
図３は画像における人物の顔（顔部）と人物の持つアイテムとの関係の基本概念図を示す。ここでは、卒業式の日にしばしば撮影される卒業証書を入れた筒を持った校門前での画像、すなわち、図２の左の列の３行目の画像を一例として示す。
撮像装置における人物の顔（顔部）の検出方法（認識方法）は周知であり、周知の検出方法で顔の位置、大きさなどが検出される。検出された顔の中心の座標を（Ｘｆ、Ｙｆ）、顔の大きさをΔＹｆに加えて、本発明では人物の持ち物（アイテム）を検出してアイテムの大きさΔitemと顔に対する位置が認識される。そして、顔の大きさΔＹｆに対するアイテムの大きさΔitem（Δitem／ΔＹｆ）が算定される。なお、人物の顔の幅も検出される。
【００１９】
図４は人物の顔に対する対象物（アイテム）の位置とそれから判定される対象物とのデータベース(アイテムのデータベース)、図５は判定された対象物（アイテム）とイベントとのデータベース(イベントのデータベース)をそれぞれ示し、図４のデータベースは図１のアイテムデータベース１０４、図５のデータベースはイベントデータベース１０５に相当する。
図４に示すように、顔に対する対象物の画面内の位置から対象物としてのアイテムがまず判定される。顔に対するアイテム（対象物）の画面内の位置として、顔からの位置、顔基準の位置、たとえば、（１）顔の下で顔の大きさ分下、（２）顔の左右でほほに隣接、（３）顔の左右で顔２つ分下、（４）顔の左右で顔の５つ分下が判定基準とされる。
【００２０】
判定される対象物としてのアイテムはイベントでよく使用されてイベントを代表するものが一般的な使用態様を考慮してイベント毎にデータ化されている(図５)。
（１）であれば、対象物であるアイテムは周囲より明るい点光源であり、誕生日のケーキ（バースディケーキ）のローソクと判定される。また、（２）で顔の幅相当の幅の長方形であれば卒業式の賞状（卒業証書）、顔と同じ位の長さで幅が顔の長さのほぼ１／８の黒か黒の長方形であれば卒業証書入りの筒、（３）で全体が顔の大きさで同じ色で彩度の高い色が一端に見えれば、送別会の（包装紙で覆われた）花、（４）で顔の幅とほぼ同じで顔の倍の長さの長方形であれば七五三の千歳飴と判定される。
【００２１】
アイテムデータベース１０４、イベントデータベース１０５は、イベントにおける撮影されるアイテムの画像内での一般的な位置を経験的に捉えて作成しているため、イベントにおけるアイテム、およびそのイベントを高い精度で判定できる。
【００２２】
図６は本発明の一実施例に係る撮影制御のフローチャートを示す。
撮影制御において、Ｓ１０１で撮影モードが判定され、撮影モードであれば、Ｓ１０２で撮影が開始され、Ｓ１０３で液晶ディスプレイ(表示部)１０７のスルー画像(ライブビュー画像）での人物の顔が認識され、Ｓ１０４で画面の中央に人物が写っているかが判定される。人物が画面中央にいれば、Ｓ１０５に進んで人物の顔の位置に対する人物の持ち物（対象物；アイテム）のデータベース（アイテムデータベース）１０４にアクセスし、Ｓ１０６で人物の持ち物（アイテム)を対象物として検索する。
Ｓ１０４で人物が画面中央にいなければ、Ｓ１１６に分岐して撮影するか否かが問われ、撮影するならレリーズ(撮影)してスルー画像がＳ１１７で日付とともに記録されてからＳ１０１に戻り、撮影しなければＳ１０１に直接戻る。ここで、Ｓ１１７での撮影画像はイベント情報のない画像となる。
【００２３】
Ｓ１０６で人物の持ち物（アイテム)がアイテムデータベース１０４にあるものであれば、イベントデータベース１０５にアクセスし、検索してそのアイテムに対応するイベントが判定され、Ｓ１１２で画面に表示される。そして、表示されたイベントがアイテムに対応するものであるかがＳ１１３で問われ、対応するものであればＳ１１４で撮影すべきかが問われて、撮影するならばレリーズされてＳ１１５でイベント情報付の画像として日付とともに記録される。
Ｓ１１２で表示されたイベントが対応するものでないとＳ１１３で判定されれば、Ｓ１１６に分岐し、Ｓ１１６で撮影しないと判定すれば、Ｓ１１６からＳ１０１に直接戻される。
【００２４】
Ｓ１１５で記録されたイベント情報付の画像が優先度の高い画像としてそのイベントの代表画像とされ、Ｓ１１７で記録されたイベント情報付のない画像は代表画像以外の画像となる。
【００２５】
Ｓ１０１で撮影モードが選択されないと、再生モードと判定されてＳ１２１に分岐し、Ｓ１２１で一連の画像(日付の同じ画像)がサムネイル表示される。そして、Ｓ１２２でアルバム表示するかが問われ、アルバム表示を選択すれば、Ｓ１２３で同一の日付の画像がグループ化され、Ｓ１２４で代表画像がグループ化された画像の表紙に表示され、イベント情報付でないその他の画像は代表画像の下に重ねて表示される。
【００２６】
Ｓ１２２でアルバム表示を選択しなければ、Ｓ１２６に分岐する。そして、アルバム表示を選択した画像、選択しなかった画像のいずれであってもＳ１２６で選択され、拡大表示されて確認され、Ｓ１２７で再生モードの終了が問われ、再生モードを終了するならＳ１０１の撮影モードに戻る。再生モードを終了しないならＳ１２６に戻って、再生モードが終了するまで選択画像の拡大表示が繰り返される。
【００２７】
このように、顔部の画像から検出した人物の顔との関係を基準とした画面内の位置からその人物の持つアイテムを判定し、アイテムから人物の参加したイベントを判定して優先度の高い画像にイベント情報を付けて記録し、イベント情報を付けない優先度の高くない画像と区別しているため、優先度の高い画像を適切に選択できる。そして、イベント情報を付けた優先度の高い画像を代表画像として表紙に表示し、イベント情報を付けない他の画像をその下で重ねて表示しているため、同じイベントの画像をグループ化して適切に整理して、保存できるとともに、再生時でのアルバム表示において、画像の内容を迅速、容易に認識できる。
【００２８】
図７はデジタルカメラとして具体化された本発明の別実施例に係る撮像装置の主要部の概略ブロック図を示す。
この実施例（実施例２）では、上記実施例（実施例１）と共通する構成についてはその説明を省略し、実施例１と異なる構成を主として説明する。実施例１ではデジタルカメラ（撮像装置）１００が、データベースとして図４のアイテムデータベース（対象物／画面内位置データベース）１０４、図５のイベントデータベース（対象物／イベントデータベース）１０５を有しているのに対して、実施例２ではデジタルカメラ（撮像装置）７００が季節に特有なイベントのデータベース(季節イベントデータベース)７０８、季節を問わない特殊なイベントのデータベース（特殊イベントデータベース）７０９、対象とするアイテムとそのアイテムに対応するイベントのデータベース（アイテムデータベース）７１０を有している点で、実施例２は実施例１と相違している。
【００２９】
図８は対象とするアイテムとそのアイテムに対応するイベントのデータベースを示し、アイテムデータベース７１０が該当する。また、図９はアイテムとして千歳飴を持つ画像、図１０はアイテムとして黒筒を持つ画像をそれぞれ示す。
たとえば、季節に特有なイベント（季節イベント）として、１１月に行われる七五三、４月の桜の下で行われる卒業式などがあり、季節を問わないイベント（特殊イベント）して、誕生会（バースディパーティ）、結婚式などがある。なお、特殊イベントでは、誕生日、結婚式の日（結婚日）がユーザによって予め登録される。
【００３０】
たとえば、七五三では対象となる人物（三歳、五歳、七歳の子供）が千歳飴を体の横に吊るして持つ画像が撮影されるから(図９)、千歳飴が七五三のアイテムとなる。また、卒業式では、卒業証書入りの黒筒を胸の前に持つ画像(図１０)、贈られた花束を胸の前に持つ画像、角帽を被った画像が撮影されるから、黒筒、花束、角帽が卒業式のアイテムとなる。
また、誕生会（バースディパーティ）ではケーキ（バースディケーキ）が誕生会のアイテムとなり、結婚式ではウェディングドレス姿の花嫁が主役であるから、ウェディングドレスがアイテムとなる。結婚日を予め登録しておけば、結婚記念日のパーティーも特殊イベントとなり、ワインなどで祝うことが多いから結婚記念日のアイテムはワイングラスとされる。
図８のデータベース（アイテムデータベース７１０）は、季節ごとや、誕生日、結婚式（結婚日）などの登録された月日を考慮して分類、編集される。
【００３１】
図１１は本発明の別実施例に係る撮影制御のフローチャートを示す。
この実施例（実施例２）の撮影制御では、Ｓ１１０１でデジタルカメラ(撮影装置)１００が起動されて、Ｓ１１０２で撮影モードが問われ、撮影モードでなく再生モードを望むなら再生モードのルーチンに進む。撮影モードでよければ、Ｓ１１０３で撮像の取り込みが開始されて、Ｓ１１０４でスルー画像(スルー画像)が生成され、Ｓ１１０５で液晶ディスプレイ(表示部)７０７にスルー画像が表示される。そして、Ｓ１１０６でレリーズ（撮影)するかが問われ、レリーズしなければ、Ｓ１１０７で撮影モードを終了してよいかが問われて、終了してよければＳ１１６で終了する。液晶ディスプレイ(表示部)７０７のスルー画像は撮影しないが別の画像を撮影したければ、Ｓ１１０３に戻って別の撮像の取込みが開始される。
【００３２】
Ｓ１１０６でレリーズ（撮影）するなら、Ｓ１１０８に進んで撮影画像（スルー画像）が取込まれて、Ｓ１１０９で記録画像が作成され、Ｓ１１１０で画像内における人物の顔が検出され、Ｓ１１１１で顔がスルー画像内にあるかが認識される。人物の顔が画像内にあれば、Ｓ１１１２のイベントを特定するプロセスに進んでデータベースにアクセスし、Ｓ１１１３でイベントの有無が判定される。対応するイベントがデータベースにあれば、Ｓ１１１４でＥｘｉｆ（Exchangeable Image File Format）に準拠した形式でそのイベントの情報が記入され、Ｓ１１１５でＥｘｉｆ情報とととも画像(静止画)が記録される。
Ｓ１１１１で顔が検出されず、Ｓ１１１３で対応するイベントがデータベースになければ、Ｓ１１１５に進んでイベントが記入されることなくＥｘｉｆ情報とととも画像(静止画)が記録される。イベントの記入の有無に拘わらず、日付も記録される。
【００３３】
図１２は図１１のＳ１１１２のイベント特定のためのルーチン、図１３は図１２のＳ１２０４、Ｓ１２０７におけるアイテム検索ルーチンをそれぞれ示す。
図１１のＳ１１１２のイベント特定においては、特定の日付、または、季節のデータベースを参考にしてアイテムから画像のイベントが特定される。すなわち、イベント特定のルーチンＳ１２０１においては、まず、Ｓ１２０２で記録画像の日付が取得され、Ｓ１２０３で日付が特定の日付かが判定される。誕生日、結婚日（結婚式）などのユーザが予め記録した日付（ユーザ固有の日付）が特定の日付であり、特定の日付であれば、Ｓ１２０４で特殊イベントのデータベース７０９（図７）にアクセスしてアイテムが検索され、Ｓ１２０５で記録画像にそのアイテムがあるか否かが判定される。そして、データベース７０９にあるアイテムを画像中にあれば（検出すれば）、Ｓ１２１０でそのアイテムに対応するイベント（特殊イベント）が特定され、Ｓ１２１１に進んで終了し、Ｅｘｉｆにイベントの情報が記入され、Ｅｘｉｆ情報とともに画像が記録される（図１１のＳ１１１４、Ｓ１１１５）。
【００３４】
Ｓ１２０３で記録画像の日付が特定の日付でなければ、または、特定の日付と判定されてもＳ１２０５で特殊イベントのデータベース７０９のアイテムが画像中になければ、画像の撮影された季節を判定するＳ１２０６に進む。そして、Ｓ１２０７で季節イベントのデータベース７０８にアクセスして季節イベントのデータベースのアイテムが検索され、Ｓ１２０８で記録画像にそのアイテムがあるか否かが判定される。季節イベントのデータベース７０８のアイテムが画像中にあれば（検出すれば）、Ｓ１２０９でそのアイテムに対応するイベント（季節イベント）が特定され、Ｓ１２１１で終了して図１１のＳ１１１４に戻る。
【００３５】
Ｓ１２０４、Ｓ１２０７のアイテム検索ルーチンＳ１３０１においては、図１３に示すように、Ｓ１３０２で対応するデータベース（特殊イベントのデータベース７０９、季節イベントのデータベース７０８）にアクセスしてアイテムのプロパティが取得される。それから、Ｓ１３０３で顔からの位置、顔基準の位置（図４）などの顔基準の検索範囲の中にアイテムの特徴にマッチング(合致)するアイテムを検索して、Ｓ１３０４で終了して図１２のＳ１２０４、Ｓ１２０７に戻る
【００３６】
図１４は本発明の別実施例の再生モードでのフローチャートを示す。
まず、Ｓ１４０１でデジタルカメラ(撮影装置)７００が起動され、Ｓ１４０２で撮影モードの可否が問われ、撮影モードであれば、図１１のＳ１１０２に戻る。ここでは、再生モードを対象としているから、Ｓ１４０３に進み、ＥＸＩＦとともに記録された画像が液晶ディスプレイ(表示部)７０７にサムネイル表示され、Ｓ１４０４でイベント検索が問われる。イベント検索するなら、Ｓ１４０５でユーザによってイベント（イベント名）が入力され、記録された画像(静止画)のＥｘｉｆでのイベントがＳ１４０６で検索され、Ｓ１４０７で一致するイベントの有無が判定される。
【００３７】
ユーザが入力したイベント（イベント名）と同じものが記録画像(静止画)のＥｘｉｆ情報にあれば、Ｓ１４０７からＳ１４０８に進んで一致するイベント名のファイル群をサムネイル表示してＳ１４０９でどのファイルを選択するかが問われ、ファイルを選択すれば、選択されたファイルがＳ１４１０で拡大されて表示される。そして、Ｓ１４１１で表示を終了するか否かが問われ、表示されたファイルでよければ、Ｓ１４１２に進んで再生モードが終了し、表示されたファイルでよくなければ、Ｓ１４０３に戻ってサムネイル表示が繰り返される。
【００３８】
Ｓ１４０４でイベント検索しなければ、Ｓ１４０９に進み、Ｓ１４０３で表示したサムネイルの中からどのファイルを選択するかがＳ１４０９で問われ、ファイルを選択すれば、選択されたファイルがＳ１４１０で拡大されて表示されて、Ｓ１４１１に進み、ファイルを選択しなければ、Ｓ１４１１に直接進む。
【００３９】
図１５は季節イベントのデータベース、図１６は特殊イベントのデータベースをそれぞれ示す。
季節イベントのデータベース７０８（図７）では、季節が四季に分類され、春は３〜５月、夏は６〜８月、秋は９〜１１月、冬は１２〜２月とされる。たとえば、季節のイベントとしては、春のイベントとして入学式、卒業式、夏のイベントとして花火、秋のイベントとして七五三、月見、冬のイベントとしてクリスマス、お正月を含んで季節イベントのデータベース７０８が予め作成される。
また、３月９日がユーザ（山田太郎）の愛妻である山田花子の誕生日、１１月２３日が山田花子の結婚式（山田太郎、山田花子の結婚式）として特殊イベントのデータベース７０９（図７）にユーザによって入力され、作成される。
【００４０】
たとえば、イスラム教徒、キリスト教、仏教徒のように宗教の相違によって宗教関係の季節のイベントも大きく異なるから、季節イベントのデータベースは宗教別に用意しておくとよい。
【００４１】
このように、アイテムから判定されるイベントのデータベースとして、季節のイベントのデータベース７０８に加えて、入力された日付で特定されるユーザに固有な特殊イベントのデータベース７０９を備えることによって、多様なイベントにも対応して優先度の高い画像を適切に選択できる。
【００４２】
本発明では、イベントの情報として、季節および（ユーザの入力した）日付（特殊な日付）をイベント検索の情報としているが、これに限定されず、季節、日付以外の情報をイベント検索に採用してもよい。
【００４３】
図１７はアイテムプロパティ仕様を示し、（Ａ）はアイテムプロパティ、（Ｂ）はアイテムプロパティ例をそれぞれ示す。
アイテムのプロパティとしては、たとえば、アイテムの形状、色などの外的な要因や、アイテムの持ち方などがあげられ、アイテムが卒業証書入りの筒であれば、白か黒で細長い筒状のもので、顔の下で斜めに持たれるものとされる。
ここで、上記のように、本発明における人物の持ち物としてのアイテム（対象とするアイテム）は、人物が実際に手に持つものに限定されず、帽子、ウェディングドレスなどの人物が身につけるものも含まれる。さらに、クリスマスツリーのように人物が現実に持つものでなくても、そのものに手をかけて撮影するなど、イベントと密接に関係するもので人物とともに撮影されることが一般的なものも、人物の持ち物としてのアイテム（対象とするアイテム）に含まれる。そのため、アイテムの持ち方は、人物の顔を基準としたアイテムの位置と言い換えることもできる。
【００４４】
図１８はアイテムのデータベースを示す。
アイテムのデータベース７１０（図７）は、季節のイベント、記録された特定の日付に関する特殊なイベントに分類され、春のイベントに関する（対応する）アイテムとしては卒業証書入りの筒、花束、角帽、夏のアイテムとしては手持ち花火、秋のアイテムとして（運動会での）体育帽、冬のアイテムとしてケーキ、パーティー帽、（お祭りでの）獅子舞があげられる。また、特定の日付のイベントのアイテムとしては、ケーキ（誕生日のケーキ）、ウェディングドレス、（還暦のパーティーでの）赤いちゃんちゃんこがあげられる。
アイテムのデータベース７１０においては、それぞれのアイテムのプロパティ仕様が編集されており、たとえば、夏のアイテムである手持ち花火のプロパティ仕様では、複数の高輝度のあるもので、人物の顔から足元までの間に位置するものとされる。
【００４５】
もちろん、アイテムのデータベース７１０は、国や地方の風習に依存することが多く、時代の変遷によってはやり廃りがあるので、インターネットの回線などを通じて、適宜、更新できるようにするとよい。また、近年のビッグデータ解析によって、ネット上にある画像やコンテンツから、イベントごとの人気アイテムを分析し、撮影されたアイテムの色や形、大きさなどの特徴と、人物の顔位置とアイテム位置の関係をデータベース化してもよい。このようなデータベース化の機能は、撮像装置自体が所持してもよいし、登録されたユーザにネットサービスで提供してもよい。
【００４６】
図１９はファイル登録のルーチン、図２０はファイル名、イベントのデータベースをそれぞれ示す。
を示す。
ファイル登録のルーチンでは、まず、Ｓ１９０１でデジタルカメラ７００が起動され、Ｓ１９０２でファイルがデータベースに登録されるかが問われ、登録しなければ、通常の再生モード（図１４）に進む。登録するなら、Ｓ１９０３で登録するファイルが選択され、Ｓ１９０４で記録画像のＥＸＩＦにそのイベント名があるか否かが問われる。ファイル名、イベントのデータベース（図２０）にアクセスして、そのイベント名が記録画像のＥＸＩＦにあれば、イベント名のファイル名がＳ１９０５で記録され、Ｓ１９０６で終了の是非が問われ、終了してもよければ、Ｓ１９０７で終了する。ファイル登録を繰り返すならＳ１９０３に戻って、他のイベントへのファイル登録が繰り返される。
Ｓ１９０４でイベント名が記録画像のＥＸＩＦになければ、Ｓ１９０６に飛んで終了の是非が問われる。
【００４７】
イベントをファイル登録することによって、画像の整理が正確に行え、イベント情報の付された画像を表紙としてグループ化された画像を迅速、容易にアルバム表示できる。
【００４８】
上記のように、本発明では、顔部の画像から検出した人物の顔との関係を基準とした画面内の位置からその人物の持つアイテムを判定し、アイテムから人物の参加したイベントを判定してイベントにおける画像の優先度を決定することによってアイテムから優先度の高い画像を適切に選択できる。
【００４９】
上述した実施例は、この発明を説明するためのものであり、この発明を何等限定するものでなく、この発明の技術範囲内で変形、改造等の施されたものも全てこの発明に包含されることはいうまでもない。
【００５０】
たとえば、季節イベントのデータベース、特定イベントのデータベースや、アイテムのデータベースでのイベントやそのイベントのアイテム、および、アイテムのプロパティ、アイテムの判定基準（人物の顔を基準としたアイテムの位置）などは、一例でありこれに限定されない。
【産業上の利用可能性】
【００５１】
本発明は、デジタルカメラ、デジタルビデオカメラ、デジタルカメラ付携帯電話、デジタルカメラ付携帯端末（デジタルカメラ付モバイルツール）、撮影機能を持つ端末機器に広範囲に応用できる。
【符号の説明】
【００５２】
１００、７００  デジタルカメラ（撮像装置）
１０１、７０１    撮影制御部（中央処理回路）
１０１ａ、７０１ａ    情報付与部
１０２、７０２  撮像部
１０３、７０３  顔検出部
１０４            アイテムデータベース
１０５            イベントデータベース
１０６、７０６    画像記録部
１０６ａ、７０６ａ    情報付画像
１０７、７０７    表示部
７０８            季節イベントデータベース
７０９            特殊イベントデータベース
７１０            アイテムデータベース
【図１】
2015095848.tif 000003
【図２】
2015095848.tif 000004
【図３】
2015095848.tif 000005
【図４】
2015095848.tif 000006
【図５】
2015095848.tif 000007
【図６】
2015095848.tif 000008
【図７】
2015095848.tif 000009
【図８】
2015095848.tif 000010
【図９】
2015095848.tif 000011
【図１０】
2015095848.tif 000012
【図１１】
2015095848.tif 000013
【図１２】
2015095848.tif 000014
【図１３】
2015095848.tif 000015
【図１４】
2015095848.tif 000016
【図１５】
2015095848.tif 000017
【図１６】
2015095848.tif 000018
【図１７】
2015095848.tif 000019
【図１８】
2015095848.tif 000020
【図１９】
2015095848.tif 000021
【図２０】
2015095848.tif 000022